(57)【要約】  【課題】  老眼鏡の使用者が、老眼鏡を外した状態で、鏡面に映る自身の像を明確に見ることができるレンズ付き鏡を提供する。  【解決手段】  鏡面１２ａを有する鏡体１２と、鏡面１２ａ付近に配置された凸レンズ１０とを備えるレンズ付き鏡において、凸レンズ１０の焦点距離は、２５ｃｍから１００ｃｍ、好ましくは３３ｃｍから１００ｃｍ、より好ましくは３３ｃｍから６７ｃｍである。また、鏡面１２ａの径は１０ｃｍよりも大きい。さらに、凸レンズ１０はプラスチックレンズである。【選択図】        図３
2005140931.tif 000002
【特許請求の範囲】
【請求項１】
鏡面を有する鏡体と、該鏡体の鏡面付近に配置された凸レンズとを備えるレンズ付き鏡において、
凸レンズの焦点距離は２５ｃｍから１００ｃｍであることを特徴とするレンズ付き鏡。
【請求項２】
鏡面の径は１０ｃｍよりも大きいことを特徴とする請求項１記載のレンズ付き鏡。
【請求項３】
凸レンズはプラスチックレンズであることを特徴とする請求項１又は２記載のレンズ付き鏡。
【発明の詳細な説明】
【技術分野】
【０００１】
本発明は、鏡面付近に凸レンズが配置されたレンズ付き鏡に関する。
【背景技術】
【０００２】
化粧をする場合、鏡を使用して自身の像を見るが、メガネの使用者は、例えばファウンデーションを塗ったり、目元の化粧を行う際は、メガネを外す必要がある。メガネを外した場合、鏡に映る自身の像が見え難くなり、化粧は困難になる。例えば鏡面に映る象がぼやけるため、ファウンデーションを塗りすぎる場合がある。そのため、メガネをかけたままで化粧が行えるように、フレームに対してレンズが回転可能なメガネが提案されている（例えば、特許文献１参照）。このメガネでは、一方のレンズを回転させて開いた状態にすることにより、メガネをかけた状態でも目周辺の化粧を行うことが可能になる。
【特許文献１】特開平１１−１０９２９０号公報
【発明の開示】
【発明が解決しようとする課題】
【０００３】
しかし、化粧を行う側のレンズを通常の状態から開いた状態に切換え、化粧を行わない側のレンズを開いた状態から通常の状態に切換える必要が生じ、手間がかかり煩わしいという問題がある。また、メガネをかけた状態では、メガネが邪魔になって、ファウンデーションなどがやり辛くなるという問題がある。また、目周辺の化粧もメガネが邪魔になってやり辛くなる場合がある。
【０００４】
本発明は斯かる事情に鑑みてなされたものであり、老眼鏡の使用者が、老眼鏡を外した状態で、鏡面に映る自身の像を明確に見ることができるレンズ付き鏡を提供することを目的とする。
【０００５】
また、本発明は、鏡面に使用者の両目を映すことができるレンズ付き鏡を提供することを他の目的とする。
【０００６】
また、本発明は、支持又は携帯が容易なレンズ付き鏡を提供することを他の目的とする。
【課題を解決するための手段】
【０００７】
第１発明に係るレンズ付き鏡は、鏡面を有する鏡体と、該鏡体の鏡面付近に配置された凸レンズとを備えるレンズ付き鏡において、凸レンズの焦点距離は２５ｃｍから１００ｃｍであることを特徴とする。
【０００８】
第２発明に係るレンズ付き鏡は、第１発明において、鏡面の径は１０ｃｍよりも大きいことを特徴とする。
【０００９】
第３発明に係るレンズ付き鏡は、第１又は第２発明において、凸レンズはプラスチックレンズであることを特徴とする。
【００１０】
第１発明においては、鏡体の鏡面付近に配置された凸レンズの焦点距離は２５ｃｍから１００ｃｍである。焦点距離は、２５ｃｍから１００ｃｍであるが、３３ｃｍから１００ｃｍが好ましく、３３ｃｍから６７ｃｍがより好ましい。また、焦点距離は、３３ｃｍから６７ｃｍがより好ましいが、中間である５０ｃｍ前後にすることが好ましい。焦点距離が１００ｃｍは老眼鏡の度数１に対応し、焦点距離が６７ｃｍ、５０ｃｍ、３３ｃｍ、２５ｃｍは夫々老眼鏡の度数１．５、度数２、度数３、度数４に対応する。凸レンズの焦点距離を２５ｃｍから１００ｃｍにすることにより、老眼鏡の使用者は、老眼鏡を外した状態であっても、鏡面に映った自身の顔を凸レンズをとおして明確に見ることができる。
【００１１】
第２発明においては、鏡面の径は、１０ｃｍよりも大きい。また、レンズの径も、鏡面に合わせて、１０ｃｍよりも大きい。鏡面の径を１０ｃｍよりも大きくすることにより、鏡面には使用者の両目が映るようになる。
【００１２】
第３発明においては、凸レンズは、アクリルレンズなどのプラスチックレンズである。プラスチックレンズを用いることにより、凸レンズは軽量となる。
【発明の効果】
【００１３】
第１発明によれば、老眼鏡の度数に対応する焦点距離２５ｃｍ〜１００ｃｍの凸レンズを鏡面付近に配置することにより、老眼鏡の使用者は、老眼鏡を外した状態であっても、鏡面に映る自身の顔を、レンズをとおして例えば化粧ができる程度明確に見ることができる。
【００１４】
第２発明によれば、鏡面の径を１０ｃｍよりも大きくすることにより、鏡面には使用者の両目が映るようになる。両目が映ることにより、例えば、右目のアイシャドーの状態を、左目で確認することができる。
【００１５】
第３発明によれば、凸レンズにプラスチックレンズを用いることにより、凸レンズは軽量となり、支持又は携帯が容易になる。また、凸レンズが軽量になった場合、凸レンズの支持に用いる支持部材に要求される強度などが低減できるため、支持部材のコストを低減できる。
【発明を実施するための最良の形態】
【００１６】
以下、本発明をその実施の形態を示す図面に基づいて具体的に説明する。
（第１の実施の形態）
図１及び図２は本発明に係るレンズ付き鏡の例を示す図であり、図１は正面図、図２は側面図である。レンズ付き鏡は、レンズ１０と、レンズ１０を支持するレンズ枠１４とを備える。図１及び図２の例では、長方形型のレンズ１０を用いており、レンズ１０外周は長方形型のレンズ枠１４によって囲繞されている。図３は、レンズ１０及びレンズ枠１４のＸ−Ｘ線切断断面図である。レンズ枠１４は、側壁及び側壁で囲まれた底を有する長方形の箱型形状をしており、側壁内面部分でレンズ１０を支持している。レンズ枠１４の底内面には、鏡面１２ａをレンズ１０側に向けて鏡体１２が取付けられている。鏡体１２の形状はレンズ１０と同様な長方形状であり、サイズはレンズ１０よりも若干小さい。また、本実施の形態では、鏡面１２ａとレンズ１０とは接触している。なお、鏡面１２ａ及びレンズ１０間に隙間を設けることも可能である。
【００１７】
レンズ枠１４は、図１及び図２に示すように、平板状の支持台２２に固定された支持部材２０によって支持されている。支持部材２０は、音叉形状をしており、Ｕ字型又はコの字型の部材２０ａの両端部はレンズ枠１４長辺の中央部を回転可能に支持し、Ｕ字型又はコの字型の部材２０ａの中央部に設けられた棒状部材２０ｂが支持台２２中央部分に固定されている。
【００１８】
図４はレンズ１０の例を示す斜視図である。本実施の形態のレンズ１０は、短辺が１１０ｍｍ、長辺が１４５ｍｍの長方形の形状をしており、中心部の厚みは２０ｍｍ、短辺の中心部の厚みは６ｍｍ、長辺の中心部の厚みは１１ｍｍ、４つの各角の厚みは３ｍｍである。また、レンズの重量は２１０ｇである。
【００１９】
レンズ１０の焦点距離は、２５ｃｍ〜１００ｃｍであり、３３ｃｍ〜１００ｃｍが好ましく、３３ｃｍ〜６７ｃｍがより好ましく、本実施の形態では５０ｃｍ前後の４２ｃｍとしている。ここで、焦点距離が１００ｃｍは老眼鏡の度数１（倍率１．２５）に対応し、焦点距離が６７ｃｍは、老眼鏡の度数１．５（倍率１．３７５）に対応し、焦点距離が５０ｃｍは、老眼鏡の度数２（倍率１．５）に対応し、焦点距離が３３ｃｍは、老眼鏡の度数３（倍率１．７５）に対応し、焦点距離が２５ｃｍは、老眼鏡の度数が４（倍率２）に対応する。
【００２０】
レンズ１０の焦点距離を２５ｃｍ〜１００ｃｍとした場合、一般的な老眼鏡を使用している使用者は、老眼鏡を外した状態であっても、レンズ１０をとおして、鏡面１２ａに映る自分の顔を化粧ができる程度明確に見ることができる。
【００２１】
また、度数４は度数１〜３に比べて使用者の割合が低く、また、度数４の場合は近くを見るのがかなり困難であり、レンズを用いた場合であっても度数１〜３に比べて鏡面１２ａを見ながらの化粧は困難である。レンズ１０の焦点距離を３３ｃｍ〜１００ｃｍとした場合、強度の老眼（度数４）を除く大多数の老眼鏡の使用者は、老眼鏡を外した状態であっても、レンズ１０をとおして、鏡面１２ａに映る自分の顔を化粧ができる程度明確に見ることができる。
【００２２】
さらに、度数１は近くを見るのが比較的容易であり、レンズを用いない場合であっても度数２〜４に比べて鏡面１２ａを見ながらの化粧は容易である。レンズ１０の焦点距離を３３ｃｍ〜６７ｃｍとした場合、強度の老眼（度数４）及び弱い老眼（度数１）を除く老眼鏡の使用者は、老眼鏡を外した状態であっても、レンズ１０をとおして、鏡面１２ａに映る自分の顔を化粧ができる程度明確に見ることができる。また、焦点距離は、３３ｃｍ〜６７ｃｍの中間である５０ｃｍ前後にすることが好ましい。または、レンズ１０の焦点距離を２５ｃｍ〜６７ｃｍとした場合、弱い老眼（度数１）を除く老眼鏡の使用者は、老眼鏡を外した状態であっても、レンズ１０をとおして、鏡面１２ａに映る自分の顔を化粧ができる程度明確に見ることができる。
【００２３】
鏡面１２ａのサイズは、径を１０ｃｍよりも大きくしている。また、鏡面１２ａに合わせて、レンズ１０のサイズも、径を１０ｃｍよりも大きくしている。ここで、鏡面１２ａ及びレンズ１０が円形でない場合は、１０ｃｍ径の円が内接するサイズより大きければよい。図の例では、レンズ１０の短辺を１０ｃｍよりも大きい１１０ｍｍとすると共に、鏡面１２ａの短辺も１１０ｍｍ付近としている。化粧を行う場合は、例えば右まぶたのアイシャドーなどを左目で見るなど、両目を鏡面１２ａに映す必要が生じる。鏡面１２ａのサイズを１０ｃｍ径よりも大きくすることにより、鏡面１２ａに両目が映るようになる。また、鏡面１２ａのサイズの上限は、サイズが大きくなる程、レンズ１０の重量が重くなる、又は、製造コストが上昇するため、３０ｃｍ以下にすることが好ましい。
【００２４】
レンズ１０は例えばアクリル製のプラスチックレンズである。レンズ１０のサイズは１０ｃｍ径よりも大きいため、重量が重くなる。プラスチック製（樹脂製）のレンズ１０を用いることにより、レンズ１０は軽量となり、支持部材２０にかかる負荷も低減する。レンズ１０が軽量になることにより、持ち運びなどの取り扱いが容易になると共に、支持部材２０に要求される強度が低下するためコストが低減できる。
【００２５】
（第２の実施の形態）
図５はレンズ付き鏡の他の例を示す斜視図である。支持部材２０は図１及び図２に示したものに限定はされず、例えば図５に示すように、一端が支持台２２ａに固定されたアーム（支持部材）２０ａの他端に、レンズ枠１４の裏面を固定することも可能である。アーム２０ａは、自在に曲げることが可能なものを用いることが好ましい。また、レンズ枠の裏面をアーム２０ａに着脱自在に取付ける構造とすることも可能である。
【００２６】
（第３の実施の形態）
図６はレンズ付き鏡の他の例を示す斜視図であり、図７（ａ）は図６に示すレンズ付き鏡の側面図である。レンズ枠１４の一方の短辺部は、支持板３４の一方の短辺部が備える蝶番３６によって回転可能に支持されている。また、支持板３４の他方の短辺部は、台板３０の一方の短辺部が備える蝶番３２によって回転可能に支持されている。レンズ枠１４の他方の短辺部は、台板３０に形成された凹部３０ａの蝶番３２とは逆側の短辺部に支持されている。
【００２７】
図７（ｂ）は、図６及び図７（ａ）に示したレンズ付き鏡の収納時の側面図である。レンズ枠１４を蝶番３６を中心に支持板３４に向けて回転させ、さらに支持板３４を蝶番３２を中心にして台板３０に向けて回転させ、レンズ枠１４を凹部３０ａに入れることにより、図７（ｂ）に示すように、レンズ付き鏡を折畳むことができる。折畳んだレンズ付き鏡を、図７（ａ）に示す組立てた状態に戻すことも勿論可能である。レンズ付き鏡を折畳み可能とすることにより、レンズ付き鏡の携帯が容易になる。
【００２８】
（第４の実施の形態）
図８（ａ）、（ｂ）はレンズの他の例を示す図である。レンズの形状は長方形に限定はされず、例えば図８（ａ）に示すように、円形状のレンズ１０ａ及び円形状のレンズ枠１４ａを用いたり、例えば図８（ｂ）に示すように、楕円形状のレンズ１０ｂ及び楕円形状のレンズ枠１４ｂを用いることが可能である。また、図８（ａ）では鏡面の形状はレンズ１０ａと同様な円形であり、図８（ｂ）では鏡面の形状はレンズ１０ｂと同様な楕円形である。
【図面の簡単な説明】
【００２９】
【図１】本発明に係るレンズ付き鏡の例を示す図である。
【図２】本発明に係るレンズ付き鏡の例を示す図である。
【図３】レンズ及びレンズ枠の図１に示すＸ−Ｘ線切断断面図である。
【図４】レンズの例を示す斜視図である。
【図５】レンズ付き鏡の他の例を示す斜視図である。
【図６】レンズ付き鏡の他の例を示す斜視図である。
【図７】（ａ）は図６に示すレンズ付き鏡の側面図であり、（ｂ）は図６及び図７（ａ）に示したレンズ付き鏡の収納時の側面図である。
【図８】レンズの他の例を示す図である。
【符号の説明】
【００３０】
１０、１０ａ、１０ｂ  レンズ
１２  鏡体
１２ａ  鏡面
１４、１４ａ、１４ｂ  レンズ枠
２０、２０ａ  支持部材
２２、２２ａ  支持台
３０  台板
３４  支持板
３２、３６  蝶番
【図１】
2005140931.tif 000003
【図２】
2005140931.tif 000004
【図３】
2005140931.tif 000005
【図４】
2005140931.tif 000006
【図５】
2005140931.tif 000007
【図６】
2005140931.tif 000008
【図７】
2005140931.tif 000009
【図８】
2005140931.tif 000010